(57)【要約】【課題】各装置間をケーブルで接続することにより、自動的にノードＩＤを設定する。【解決手段】  装置Ａ〜Ｄそれぞれにおいて、主装置との接続に用いられるケーブルの挿入時に該ケーブルに付与されているケーブル識別情報を検出し、この検出されたケーブル識別情報を該装置のノードＩＤとして用いる。主装置１０では、装置Ａ〜Ｄそれぞれにおいて検出されたケーブル識別情報とノードＩＤとの対応関係を示す変換テーブルを作成し、この変換テーブルによってノードＩＤとケーブル識別情報との変換を行うことにより、主装置１０と装置Ａ〜Ｄとの間で通信を行う。変換テーブルによってノードＩＤからケーブル識別情報への変換を行い、ケーブル識別情報をノードＩＤとして用いることにより、ケーブルを接続するだけで、ノードＩＤの設定を自動的に行うことができる。【選択図】      図１
2005244849.tif 000002
【特許請求の範囲】
【請求項１】
複数の通信装置と、前記複数の通信装置との間でノードＩＤを用いて通信を行う主装置とを含む通信システムであって、前記複数の通信装置それぞれに設けられ、前記主装置との接続に用いられるケーブルの挿入時に該ケーブルに付与されているケーブル識別情報を検出する検出手段と、前記複数の通信装置それぞれに設けられ、前記検出手段により検出されたケーブル識別情報を前記主装置に送信する送信手段と、前記主装置に設けられ、前記複数の通信装置それぞれに設けられた前記送信手段からそれぞれ送信されたケーブル識別情報とノードＩＤとの対応関係を示す変換テーブルを作成するテーブル作成手段とを含み、前記検出手段により検出されたケーブル識別情報を該通信装置のノードＩＤとして用い、前記変換テーブルによってノードＩＤとケーブル識別情報との変換を行うことにより、前記複数の通信装置と前記主装置との間で通信を行うようにしたことを特徴とする通信システム。
【請求項２】
前記ケーブルは前記ケーブル識別情報が記憶された無線ＩＣタグを有し、前記検出手段は前記無線ＩＣタグを読取るリーダであることを特徴とする請求項１記載の通信システム。
【請求項３】
ノードＩＤを用いて通信を行う主装置と共に通信システムを構成する通信装置であって、前記主装置との接続に用いられるケーブルの挿入時に該ケーブルに付与されているケーブル識別情報を検出する検出手段を含み、前記検出手段により検出されたケーブル識別情報を該通信装置のノードＩＤとして用いることを特徴とする通信装置。
【請求項４】
前記ケーブルは前記ケーブル識別情報が記憶された無線ＩＣタグを有し、前記検出手段は前記無線ＩＣタグを読取るリーダであることを特徴とする請求項３記載の通信装置。
【請求項５】
複数の通信装置と共に通信システムを構成し、前記複数の通信装置との間でノードＩＤを用いて通信を行う主装置であって、自装置との接続に用いられるケーブルの挿入時に前記複数の通信装置それぞれにおいて検出されたケーブル識別情報とノードＩＤとの対応関係を示す変換テーブルを作成するテーブル作成手段を含み、前記ケーブル識別情報を該通信装置のノードＩＤとして用い、前記変換テーブルによってノードＩＤとケーブル識別情報との変換を行うことにより、前記複数の通信装置との間で通信を行うようにしたことを特徴とする主装置。
【発明の詳細な説明】
【技術分野】
【０００１】
本発明は通信システム、通信装置、主装置に関し、特に通信システムを構成する複数の通信装置に対するノードＩＤの設定に関する。
【背景技術】
【０００２】
一般に、複数の装置によって通信システムを構成する場合、各装置に、その装置を識別するためのノードＩＤ（Ｉｄｅｎｔｉｆｉｅｒ）を設定する必要がある。例えば、図８に示されている通信システムでは、主装置１０に接続されている４つの装置Ａ〜ＤそれぞれにノードＩＤを付与して設定する必要がある。
同図において、主装置１０には、４つの端子Ｔ０〜Ｔ３が設けられている。また、装置Ａには端子ＴＡ０、装置Ｂには端子ＴＢ１、装置Ｃには端子ＴＣ２、装置Ｄには端子ＴＤ３、がそれぞれ設けられている。そして、主装置１０の端子Ｔ０と装置Ａの端子ＴＡ０、主装置１０の端子Ｔ１と装置Ｂの端子ＴＢ１、主装置１０の端子Ｔ２と装置Ｃの端子ＴＣ２、主装置１０の端子Ｔ３と装置Ｂの端子ＴＤ３、がそれぞれ接続されている。
【０００３】
このように各装置が接続された通信システムでは、例えば、図９に示されているようにノードＩＤを設定する。すなわち、装置ＡにはノードＩＤ「０」、装置ＢにはノードＩＤ「１」、装置ＣにはノードＩＤ「２」、装置ＤにはノードＩＤ「３」、をそれぞれ設定する。このように設定したノードＩＤを用いることにより、主装置１０と、各装置Ａ〜Ｄとの間で送受信を行うことができる。
【０００４】
ノードＩＤを設定する場合、各装置Ａ〜Ｄに設けられているスイッチを手動で設定することによって行うことが多い。例えば、図１０に示されているように、ＤＩＰ（Ｄｕａｌ  Ｉｎ−ｌｉｎｅ  Ｐａｃｋａｇｅ）型のスイッチＳＷ１、ＳＷ２を各装置Ａ〜Ｄに設けておき、そのＯＮ又はＯＦＦの設定を手動で行う。同図に示されている例では、スイッチＳＷ１が２0 〜２2 の３桁に、スイッチＳＷ２が２3 〜２5 の３桁に、それぞれ対応している。そして、同図中の黒塗りで表現されている可動部をＯＦＦ方向又はその逆方向（すなわちＯＮ）にスライドさせることで、２0 〜２5 の各桁の設定が行われる。
【０００５】
ノードＩＤ「０」を装置Ａに付与するには、例えば、図１１に示されているように、２0 〜２5 の全ての桁の可動部をＯＮに設定する。また、ノードＩＤ「１」を装置Ｂに付与するには、同図に示されているように、２0 の桁の可動部のみＯＦＦにし、その他の桁の可動部をＯＮに設定する。同様に、ノードＩＤ「２」を装置Ｃに付与するには、同図に示されているように、２1 の桁の可動部のみＯＦＦにし、その他の桁の可動部をＯＮに設定する。ノードＩＤ「３」を装置Ｄに付与するには、同図に示されているように、２0 及び２1 の桁の可動部をＯＦＦにし、その他の桁の可動部をＯＮに設定する。以上のようにスイッチＳＷ１及びＳＷ２を設定することで、装置Ａ〜ＤにノードＩＤを設定することができる。
【０００６】
以上のようなノードＩＤの設定を手作業で行うのは多くの工数を必要とする点、誤設定のおそれがある点で、好ましくない。
このため、ノードＩＤを自動的に設定する技術が種々知られている。例えば特許文献１には、監視ノードが被監視ノードの位置や数を認識して管理することで、オペレータおよび保守員の作業負荷を軽減する技術が記載されている。
また、特許文献２には、新たなノードが接続されたり、既存のノードが取り外されたりすると、バスの構成を再認識して自動的に各ノードへのアドレスの割り振りを行う技術が記載されている。
さらに、特許文献３には、自動的に接続機器のノードＩＤを設定する技術が記載されている。
【特許文献１】特開２００１−１０３０８２号公報（要約、段落[００３０]）
【特許文献２】特開２００１−３４５８２７号公報（段落[００１９]）
【特許文献３】特開２００１−１８６１６２号公報（段落[０００３]）
【発明の開示】
【発明が解決しようとする課題】
【０００７】
しかし、上述した各文献に記載されている技術においては、ノードＩＤを設定するには、各装置間をケーブルで接続した後、作業者が何らかの操作を行わなければならず、その工数がかかってしまうという問題がある。
本発明は上述した従来技術の問題点を解決するためになされたものであり、その目的は各装置間をケーブルで接続することにより、自動的にノードＩＤを設定することのできる通信システム、通信装置、主装置を提供することである。
【課題を解決するための手段】
【０００８】
本発明の請求項１による通信システムは、複数の通信装置と、前記複数の通信装置との間でノードＩＤを用いて通信を行う主装置とを含む通信システムであって、前記複数の通信装置それぞれに設けられ、前記主装置との接続に用いられるケーブルの挿入時に該ケーブルに付与されているケーブル識別情報を検出する検出手段と、前記複数の通信装置それぞれに設けられ、前記検出手段により検出されたケーブル識別情報を前記主装置に送信する送信手段と、前記主装置に設けられ、前記複数の通信装置それぞれに設けられた前記送信手段からそれぞれ送信されたケーブル識別情報とノードＩＤとの対応関係を示す変換テーブルを作成するテーブル作成手段とを含み、前記検出手段により検出されたケーブル識別情報を該通信装置のノードＩＤとして用い、前記変換テーブルによってノードＩＤとケーブル識別情報との変換を行うことにより、前記複数の通信装置と前記主装置との間で通信を行うようにしたことを特徴とする。変換テーブルによってノードＩＤからケーブル識別情報への変換を行い、ケーブル識別情報をノードＩＤとして用いることにより、ケーブルを接続するだけで、ノードＩＤの設定を自動的に行うことができる。
【０００９】
本発明の請求項２による通信システムは、請求項１において、前記ケーブルは前記ケーブル識別情報が記憶された無線ＩＣタグを有し、前記検出手段は前記無線ＩＣタグを読取るリーダであることを特徴とする。無線ＩＣタグ及びリーダを用いることにより、ケーブルが接続されたことを非接触で検出したことに応答して、ノードＩＤを設定することができる。
【００１０】
本発明の請求項３による通信装置は、ノードＩＤを用いて通信を行う主装置と共に通信システムを構成する通信装置であって、前記主装置との接続に用いられるケーブルの挿入時に該ケーブルに付与されているケーブル識別情報を検出する検出手段を含み、前記検出手段により検出されたケーブル識別情報を該通信装置のノードＩＤとして用いることを特徴とする。ケーブル識別情報をノードＩＤとして用い、ノードＩＤからケーブル識別情報への変換を行うことにより、ケーブルを接続するだけで、ノードＩＤの設定を自動的に行うことができる。
【００１１】
本発明の請求項４による通信装置は、請求項３において、前記ケーブルは前記ケーブル識別情報が記憶された無線ＩＣタグを有し、前記検出手段は前記無線ＩＣタグを読取るリーダであることを特徴とする。無線ＩＣタグ及びリーダを用いることにより、ケーブルが接続されたことを非接触で検出したことに応答して、ノードＩＤを設定することができる。
【００１２】
本発明の請求項５による主装置は、複数の通信装置と共に通信システムを構成し、前記複数の通信装置との間でノードＩＤを用いて通信を行う主装置であって、自装置との接続に用いられるケーブルの挿入時に前記複数の通信装置それぞれにおいて検出されたケーブル識別情報とノードＩＤとの対応関係を示す変換テーブルを作成するテーブル作成手段を含み、前記ケーブル識別情報を該通信装置のノードＩＤとして用い、前記変換テーブルによってノードＩＤとケーブル識別情報との変換を行うことにより、前記複数の通信装置との間で通信を行うようにしたことを特徴とする。変換テーブルによってノードＩＤからケーブル識別情報への変換を行い、ケーブル識別情報をノードＩＤとして用いることにより、ケーブルを接続するだけで、ノードＩＤの設定を自動的に行うことができる。
【発明の効果】
【００１３】
以上説明したように本発明は、ケーブル接続の際に検出されたケーブル識別情報をその装置のノードＩＤとして用い、変換テーブルによってノードＩＤとケーブル識別情報との変換を行うことにより、ケーブルを接続するだけで、ノードＩＤの設定を自動的に行うことができるという効果がある。
【発明を実施するための最良の形態】
【００１４】
以下、本発明の実施の形態を、図面を参照して説明する。なお、以下の説明において参照する各図では、他の図と同等部分は同一符号によって示されている。
（通信システムの構成）
図１は、本発明の実施の形態に係る通信システムの構成を示す図である。同図において、通信システムは、通信装置である装置Ａ〜Ｄと、これらの装置と接続される主装置１０とを含んで構成されている。主装置１０は、ノードＩＤを用いて装置Ａ〜Ｄと通信を行う。
【００１５】
主装置１０は、記憶部２０に記憶されている局データを読出すと共に、後述する変換テーブルを作成する通信制御部１１を有している。なお、記憶部２０に記憶されている局データは、通信システム全体の接続状態を示すデータである。
また、主装置１０と各装置Ａ〜Ｄとは、４本のケーブル３０〜３３によって接続される。
【００１６】
ケーブル３０はコネクタｃ０及びｄ０を有している。このケーブル３０は主装置１０と装置Ａとの接続に用いられる。すなわち、コネクタｃ０が主装置１０のノードＩＤ「０」に対応するアダプタａ０に、コネクタｄ０が装置Ａのアダプタｂ０に、それぞれ接続される。
ケーブル３１はコネクタｃ１及びｄ１を有している。このケーブル３１は主装置１０と装置Ｂとの接続に用いられる。すなわち、コネクタｃ１が主装置１０のノードＩＤ「１」に対応するアダプタａ１に、コネクタｄ１が装置Ｂのアダプタｂ１に、それぞれ接続される。
【００１７】
ケーブル３２はコネクタｃ２及びｄ２を有している。このケーブル３２は主装置１０と装置Ｃとの接続に用いられる。すなわち、コネクタｃ２が主装置１０のノードＩＤ「２」に対応するアダプタａ２に、コネクタｄ２が装置Ｃのアダプタｂ２に、それぞれ接続される。
ケーブル３３はコネクタｃ３及びｄ３を有している。このケーブル３３は主装置１０と装置Ｄとの接続に用いられる。すなわち、コネクタｃ３が主装置１０のノードＩＤ「３」に対応するアダプタａ３に、コネクタｄ３が装置Ｄのアダプタｂ３に、それぞれ接続される。
【００１８】
（ケーブル識別情報）
ケーブル３０〜３３には、ケーブル識別情報が予め付与されている。このケーブル識別情報の例について図２を参照して説明する。同図を参照すると、ケーブル３０にはコネクタｃ０、ｄ０が設けられており、そのケーブル識別情報は「１００」である。また、ケーブル３１にはコネクタｃ１、ｄ１が設けられており、そのケーブル識別情報は「２００」である。さらに、ケーブル３２にはコネクタｃ２、ｄ２が設けられており、そのケーブル識別情報は「３００」である。そして、ケーブル３３にはコネクタｃ３、ｄ３が設けられており、そのケーブル識別情報は「４００」である。
【００１９】
（ケーブル、及び、アダプタ）
図３には、本実施形態で用いるケーブルと、アダプタとが示されている。同図に示されているアダプタ２００が、装置Ａ〜Ｄに設けられている。このアダプタ２００に、ケーブル３００の端部に設けられているコネクタ３０１を、矢印Ｙの方向に挿入する。これにより、ケーブルとアダプタとが接続された状態になる。
【００２０】
コネクタ３０１には、ＲＦＩＤ（Ｒａｄｉｏ  Ｆｒｅｑｕｅｎｃｙ  Ｉｄｅｎｔｉｆｉｃａｔｉｏｎ）を記憶したチップ３０２が設けられている。また、そのチップ３０２に記憶されているデータを読取るためのリーダ２０１がアダプタ側に設けられている。このように本実施形態では、無線ＩＣタグ及びそのリーダとして、ＲＦＩＤ方式を採用している。なお、チップ３０２に記憶されているデータは、そのケーブルを一意に識別するためのケーブル識別情報である。
【００２１】
同図に示されているように、コネクタ３０１がアダプタ２００に接続されていない状態では、チップ３０２とリーダ２０１との距離が離れているので、チップ３０２に記憶されているデータが読取られることはない。
リーダ２０１によってケーブル識別情報が読取られた場合、そのケーブル識別情報は装置内のＭＰＵ（Ｍｉｃｒｏ  Ｐｒｏｃｅｓｓｉｎｇ  Ｕｎｉｔ）２０２によって読出され、メモリ２０３に記憶される。このメモリ２０３に記憶されたケーブル識別情報は、Ｉ／Ｏインタフェース２０４を介して、アダプタ２００に接続されるケーブル２０５に伝達される。
【００２２】
図４には、コネクタ３０１がアダプタ２００に接続された状態が示されている。同図に示されているように、両者が接続された状態においては、チップ３０２とリーダ２０１との距離が近いので、チップ３０２に記憶されているケーブル識別情報が、リーダ２０１によって読取られる。そして、この読取られたケーブル識別情報がケーブル２０５に伝達され、ケーブル３００を介して主装置１０に送信されることになる。
なお、ケーブル３００とアダプタ２００とは電気的に接続されても良いし、光学的に接続されても良い。また、本例ではＲＦＩＤ方式を採用してケーブル識別情報を読取っているが、それ以外の非接触式や接触式の技術を採用してケーブル識別情報を読取っても良い。
【００２３】
（変換テーブル）
主装置１０においては、ノードＩＤとケーブル識別情報との変換テーブルが作成される。この変換テーブルについて図５を参照して説明する。
主装置１０は、各ケーブル３０〜３３を介してケーブル識別情報「１００」〜「４００」を受信すると、各ケーブル３０〜３３が接続されているアダプタａ０〜ａ３に付与されているノードＩＤ「０」〜「３」との対応関係に関する変換テーブルを作成する。本例では、同図に示されている変換テーブル４０が作成される。
【００２４】
すなわち、変換テーブル４０は、装置ＡについてはノードＩＤ「０」とケーブル識別情報「１００」、装置ＢについてはノードＩＤ「１」とケーブル識別情報「２００」、装置ＣについてはノードＩＤ「２」とケーブル識別情報「３００」、装置ＤについてはノードＩＤ「３」とケーブル識別情報「４００」、がそれぞれ変換される内容になっている。
このように作成した変換テーブルを用いることで、各装置Ａ〜Ｄはケーブル識別情報をノードＩＤとして用い、主装置１０はノードＩＤとケーブル識別情報との変換を行うので、ケーブルにより各装置間を接続するだけで後は自動的にノードＩＤを設定することができる。
【００２５】
（主装置、各装置の動作）
以下、図６及び図７を用いて、主装置、各装置Ａ〜Ｄそれぞれにおける動作について説明する。
図６において、装置Ａ〜Ｄでは、まず、ケーブルが接続されたかどうかを判断する（ステップＳ１０１）。ケーブルが接続された場合と判断された場合には、コネクタに設けられているチップに記憶されているケーブル識別情報がリーダによって読取られる（ステップＳ１０１→Ｓ１０２）。そして、このリーダによって読取られたケーブル識別情報がメモリに記憶される（ステップＳ１０３）。
【００２６】
一方、主装置では、図７に示されている処理が行われる。同図において、まず、ケーブルが接続されたかどうかを判断する（ステップＳ２０１）。すると、主装置１０は、各装置Ａ〜Ｄのメモリに記憶されているケーブル識別情報を読取る（ステップＳ２０２）。この読取られたケーブル識別情報は、主装置１０内の通信制御部１１に一旦記憶される（ステップＳ２０３）。
【００２７】
次に、主装置１０は、通信システム全体の接続状態を示す局データを記憶部２０から読出す（ステップＳ２０４）。そして、主装置１０は、ノードＩＤとケーブル識別情報との変換テーブルを作成する（ステップＳ２０５）。
このように作成した変換テーブルを用いることで、各装置Ａ〜Ｄはケーブル識別情報をノードＩＤとして用い、主装置１０はノードＩＤとケーブル識別情報との変換を行うので、ケーブルにより主装置と各装置との間を接続するだけで後は自動的にノードＩＤを設定することができる。
【産業上の利用可能性】
【００２８】
本発明は、通信システムにおいて、各装置のノードＩＤの自動設定に利用することができる。
【図面の簡単な説明】
【００２９】
【図１】本発明の実施の一形態に係る通信システムの構成を示すブロック図である。
【図２】ケーブル識別情報の例を示す図である。
【図３】ケーブル及びアダプタの構成例を示す図である。
【図４】ケーブルとアダプタとが接続された状態の例を示す図である。
【図５】変換テーブルの例を示す図である。
【図６】各装置の動作を示すフローチャートである。
【図７】主装置の動作を示すフローチャートである。
【図８】従来の通信システムの構成を示すブロック図である。
【図９】ノードＩＤの設定例を示す図である。
【図１０】ノードＩＤの設定のためのスイッチの構成例を示す図である。
【図１１】図１０に示されているスイッチによって設定されるノードＩＤの例を示す図である。
【符号の説明】
【００３０】
１０  主装置
１１  通信制御部
２０  記憶部
３０〜３３  ケーブル
４０  変換テーブル
２００  アダプタ
２０１  リーダ
２０３  メモリ
２０４  Ｉ／Ｏインタフェース
２０５、３００  ケーブル
３０１  コネクタ
３０２  チップ
Ａ〜Ｄ  装置
ａ０〜ａ３、ｂ０〜ｂ３  アダプタ
ｃ０〜      ｃ３、ｄ０〜ｄ３  コネクタ
ＳＷ１、ＳＷ２  スイッチ
Ｔ０〜Ｔ３、ＴＡ０〜ＴＤ３  端子
【図１】
2005244849.tif 000003
【図２】
2005244849.tif 000004
【図３】
2005244849.tif 000005
【図４】
2005244849.tif 000006
【図５】
2005244849.tif 000007
【図６】
2005244849.tif 000008
【図７】
2005244849.tif 000009
【図８】
2005244849.tif 000010
【図９】
2005244849.tif 000011
【図１０】
2005244849.tif 000012
【図１１】
2005244849.tif 000013